(57)【要約】【課題】顔面や顎部及び前頭部にフィットし、包帯や絆創膏及び眼帯等に代わる医療用品として、又、美容目的にも好適なシート状フェイスマスクの立体に対応する製図法、及び前記マスクの提供。【解決手段】マスクに使用する素材の伸縮率と顎先から耳珠までの長さ、頬骨の位置等を基にした立体に対応する製図により、成人用から小児用に至るまで、及び顔面、顎部、前頭部等の各部にジャストフィットするフェイスマスクを提供する。【選択図】図４
2004267692.tif 000002
【特許請求の範囲】
【請求項１】
伸縮性に富む素材を使用したシート状フェイスマスクであって、シート状にして立体に対応する態様を特徴とする。口囲及び鼻孔を覆わず、おとがい部、頬部、及び耳下腺咬筋部を覆いジャストフィットするスマスク部と、前記マスク部両外端の耳掛け部が一体型を成す雲形形状のフェイスマスク、及び前記マスクの製図法。
【請求項２】
伸縮性に富む素材を使用したシート状フェイスマスクであって、シート状にして立体に対応する態様を特徴とする。口囲及び鼻孔を覆わず、おとがい部、頬部、耳下腺咬筋部、及び頬骨部を覆いジャストフィットするマスク部に、口囲を露出する為の孔を設けた態様と、前記マスク部両外端の耳掛け部が一体型を成す雲形形状の立体に対応するマスク、及び前記形状のマスクの製図法。
【請求項３】
伸縮性に富む素材を使用したシート状フェイスマスクであって、シート状にして立体に対応する態様を特徴とする。前頭部、眼窩、眼窩下部及び頬骨部等を覆い密着するマスク部に、一方の、又は双方の眼瞼及び眼球を露出する為の孔を設けた態様と、前記マスク部両外端の耳掛け部が一体型を成す雲形形状のフェイスマスク、及び前記マスクの製図法。
【発明の詳細な説明】
【０００１】
【発明の属する技野】
本発明は医療用品及び美容用品に係りマスクに関する。詳しくは、口もと及び鼻孔を覆う目的のマスクではなく、顔面及び顎部等の各部位にジャストフィットするフェイスマスク、及び前記マスクの製図法に関する。
【０００２】
【従来の技術】
顔面、顎部に係る従来の医療用品は絆創膏、包帯、眼帯等が主であり、特に包帯の使用は困難であるが代わる用品が無い現状である。又、頭痛や歯痛等に関しては、近年は保温又は冷却剤等を塗布した、又、美容に関しては美容液等を塗布した粘着シート等が普及し、その利点は多い。
【０００３】
【発明が解決しようとする課題】
しかしながら、保温、冷却剤塗布の粘着シート等は、皮膚に対する刺激性及び温度調節不能、貼り直しが出来ない等の欠点がある。又、顔面及び顎部に係る絆創膏、包帯等の使用は総体的に困難である。眼帯に関しては旧態以前であって、日常動作を妨げないフィット感が望まれる。美容マスクに関しての難点は、顔面の周囲が収まりにくく剥れやすい。又、シート状パック等をシワやたるみを両手で伸ばしながらフィットさせ引き上げる等しても、両手を離すとシワやたるみは元に戻りフェイスライン改善の大きな効果は望めないことにある。
【０００４】
【課題を解決するための手段】
前記課題解決のために本発明が前提とするのは、製造コストがかからず、使用感がよく、装着法が簡単であり、粘着剤を使用せず顔面、顎部、前頭部等の各部位にジャストフィットする態様のフェイスマスクを提供する事にある。前記マスクに使用する素材の伸縮性を応用した製図法により、多種多様の目的に対応するフェイスマスクの提供が可能となる。通常の使用ではマスクの伸縮率は１：１．３倍前後が好適な使感用を得る。年齢、運動量等、用途により伸縮率を加減する。
【０００５】
【実施の形態】
以下に、本発明の実施の形態について図面を参照して説明する。
【０００６】
請求項１の製図の詳細。図１、図２を参照。（イ）図１の頭部側面図に示したおとがい部下方中央先端Ａより耳介部前方、耳珠Ｂまでの長さを使用素材の伸縮率で割った数値に、耳通し孔用、用巾２センチメートルＢ・Ｄを加算し、更に耳介後方の耳掛け部用、用巾Ｄ・Ｆ、１．５〜２センチを加算した数値を１／２マスク横巾Ａ１・Ｅとし、成人用として縦巾８〜９センチＥ・Ｈとする。長方形Ａ１、Ｅ、Ｈ、Ａ２は中央を輪にして横二つ折りにしたマスクの型紙のベースである。
（ロ）Ｅ・Ｈの１／３の点をＦ、Ｆ１とする。Ａ１・Ｅに平行にＦ・Ａを引く。（ハ）Ｅ・Ｈの１／２の点をＧとする。（ニ）Ｄを通りＥ・Ｈと平行にＤ１・Ｄ２を引く。
（ホ）Ｂを通りＨ・Ｅと平行にＢ１・Ｂ２を引く。（ヘ）図１の耳珠Ｂから頬骨Ｃまでの長さを素材の伸縮率で割った数値をＢ２・ＣとしＢ２・Ａ２の線上におく。Ｅ・Ｈと平行にＣ・Ｃ１を引く。（ト）口巾の１／２の数値をＡ２・ＩとしＡ２・Ｈ上におく。（チ）Ａ２・Ａ１を結ぶ線上、Ａ２より２センチ下がった点をＺとする。
（リ）Ｆ・Ｄの延長線とＡ２・Ａ１の交点をＡとする。（ヌ）Ｚ、Ｃ、Ｇ、Ｆ、Ｂ１、Ｃ１、Ａを曲線で結ぶ。（ヲ）Ｆ・Ａ上に、Ｄ・Ｂに１．５センチ加算した位置にＪをおきＪ・Ｄを曲線で結ぶ。Ｄの位置を前後に移動することによりサイズの微調整が可能になる。（ワ）ａ．頬部の肉付の多い人用、又はｂ．肉付の少ない人用には、Ｃ１を軸に型紙上でＣ・Ｃ１を切り開き、扇の開閉の様に移動させサイズの調整をする。開くとａに、閉じた状態から左右を重ねるとｂに対応する。
【０００７】
請求項２の製図の詳細。図１、図５を参照。（イ）図１の頭部側面図に示したおとがい部下方中央先端Ａより耳介部前方、耳Ｂまでの長さを、使用素材の伸縮率で割った数値に耳通し孔用、用巾２センチメートルＢ・Ｄを加算し、更に耳介後方の耳掛け部用、用巾Ｄ・Ｆ、１．５〜２センチメートルを加算した数値をマスクの１／２横巾Ａ１・Ｅとし、成人用として縦巾１１センチＥ・Ｈとする。長方形Ａ１、Ｅ、Ｈ、Ａ２は中央を輪にして横二つ折りにしたマスクの型紙のベースである。
（ロ）Ｅ・Ｈの１／３の点をＦ、Ｆ１とする。Ａ１・Ｅに平行にＦ・Ｚ、Ｆ１・Ｚ１を引く。（ハ）Ｅ・Ｈの１／２の点をＧとする。Ａ１・Ｅに平行にＧ・Ｇ１を引く。
（ニ）横巾外端より、Ｄ点を通り縦巾Ｅ・Ｈに平行にＤ１・Ｄ２を引く。（ホ）横巾外端より、Ｂ点を通り縦巾Ｅ・Ｈに平行にＢ１・Ｂ２を引く。（ヘ）図１の耳珠Ｂから頬骨Ｃまでの長さを素材の伸縮率で割った数値をＢ２・ＣとしＢ２・Ａ２の上におく。Ｅ・Ｈに平行にＣ・Ｃ１を引く。（ト）口巾の１／２の数値をＧ１・ＩとしＧ・Ｇ１の線上におく。Ｚ１、Ｉを結ぶ。Ｉ、Ｚを結ぶ。（チ）Ａ１・Ａ２の線上Ａ２から２センチの位置にＺ２をおく。（リ）Ａ１・Ａ２の線上Ａ１から２センチの位置をＡとする。（ヌ）Ｚ２、Ｃ、Ｆ１を結びカーブの線に置き換える。Ｆ、Ｃ１、Ａを結びカーブの線に置き換える。（ル）Ｄ１・Ｄ２、Ｇ・Ｇ１の交点をＤ３とする。
（ヲ）Ｄ３を通りＣ１・Ｆと平行な線を引く。Ｂ１・Ｂ２との交点をＢ３とする。
（ワ）Ｄ３・Ｄ４の線上、Ｂ３を中心にＢ３・Ｄ３と等間隔に点Ｊをおく。Ｊ、Ｄ３、を曲線で結ぶ。（カ）ａ．肉付きの多い人用、又はｂ．少ない人用には、Ｃ１を軸に型紙上でＣ１・Ｃを切り開き、扇の開閉の様に移動させサイズの調整をする。開くとａに、閉じた状態から重ねるとｂに対応する。（キ）Ｄ３の位置を前後に移動させることによりサイズの微調整が可能になる。
【０００８】
請求項３の製図の詳細。図１、図９を参照。（イ）図１の頭部側面図に示した眉間中央部Ｙより耳介部前方、耳珠Ｂまでの長さを、使用素材の伸縮率で割った数値に耳通し孔用、用巾２センチＢ・Ｄを加算し、更に耳介後方の耳掛け部用、用巾Ｄ・Ｆ、１．５〜２センチを加算した数値をマスクの１／２横巾Ａ１・Ｅとし、成人用として縦巾９センチＥ・Ｈとする。長方形Ａ１・Ｅ・Ｈ・Ａ２を、中央を輪にして二つ折りにしたマスク１／２サイズとする。（ロ）Ｅ・Ｈの１／２の点をＧとする。Ａ１・Ｅに平行にＧ・Ｘを引き、Ｘより１センチＧ寄りの点をＸ１とする。Ａ１・Ａ２に平行にＬ１・Ｌ２を引く。（ハ）Ｅ・Ｈの１／３の点をＦ・Ｆ１とする。Ａ１・Ｅに平行にＦ・Ｙを引く。（ニ）Ｆ・Ｘを結ぶ。Ｆ・Ｘの線上、Ｂ・Ｄと等間隔の点をＪとする。Ｄ・Ｊを曲線で結ぶ。符号３の耳を通す孔にあたる。（ホ）耳珠Ｂより頬骨Ｃまでの長さを使用素材の伸縮率で割った数値をＢ１・Ｃとする。Ｅ・Ｈに平行にＣ・Ｃ１を引く（ヘ）Ｃ・Ｃ１の線上Ｇ・Ｘと交叉する点をＧ’とする。Ｇ点の上下各々１センチに点Ｋ、Ｋ’をおく。（ト）Ｇ・Ｘに平行にＫ・Ｌ、Ｋ’・Ｌ’を引く。（チ）Ｋ、Ｋ’、Ｌ、Ｌ’に内接するダ円を書く。（リ）Ａ２から１センチ下がった点をＲとし、Ｌ２、Ｃ１、Ｇ、を曲線で結ぶる。（ヌ）Ｅ、Ｃ、Ａ１を曲線で結ぶ。（ヲ）ａ．頬部の肉付きの多い人用、又はｂ．少ない人用にはＣ１を軸に型紙上でＣ１・Ｃを切り開き、扇を開閉する様に移動させサイズの調整をする。開くとａに、閉じた状態から左右を重ねるとｂに対応する。（ワ）Ｄの位置を前後に移動させることにより、サイズの微調整が可能になる。
【０００９】
【発明の効果】
粘着剤及び薬剤を使用しないので皮膚への刺激が無い。
【００１０】
顔面、顎部などの包帯の使用が困難な部位に係る医療用品として使用する。包帯の使用と比較して、各部位にジャストフィットするので日常の運動では、ずれたり剥れたりする事もなく使用感が良い。又、装着法が簡単なので医療現場での時間のロスが少ない。
【００１１】
マスクは下顎と同調して動くので、食事や会話等の動作に影響が少ない。
【００１２】
従来の冷却、保冷シート等は皮膚との間に別途用意したシート等を挟み、直接皮膚に触れないようにする。温度調節不能、皮膚にトラブルのある人、皮膚の弱い人等への刺激等の問題も解消され好適な使用感を得る。、
【００１３】
頭痛、発熱等に係る従来の冷却、保冷シートの使用に際しては、請求項１のマスクを前頭部（通称、額）に着用する。図８参照
【００１４】
マスクを二枚一体の構造にして、間に前述の冷却シート等を挟み使用してもよい。
【００１５】
請求項３のマスクの医療用品に係る着用法として、眼帯に代えて又は眼窩部、眼窩下部等の医療行為に対して使用の場合、双方の眼瞼及び眼球を露出する孔を開けることによって、標準以上の運動などによりマスクがずれ落ちること等を防ぐ目的から、更にジャストフィットする様ワンサイズ下のマスクを着用しても、眼瞼及び眼球を圧迫することなく、医療行為の必要な一方にのみ専用に用意したパットや通常の医療用品の使用で好適な着用効果を得る。図１１参照
【００１６】
美容目的に係る使用法として、従来の美容マスクの上に重ねて着用することで顔面の周囲が剥れ易く収まりにくい等の欠点が解消する。又、本発明のマスクを併用することで、従来の美容マスクを両手でシワやたるみを伸ばしながら耳の方向に引き上げた状態からマスクを耳に掛けて使用することが出来るので、フェイスライン改善の高い効果が期待出来る。
【００１７】
美容目的に係る使用法として、マスク部に美容液等を塗布して着用する。
【００１８】
【図面の簡単な説明】
【図１】頭部側面図である。
【図２】請求項１のマスクの製図
【図３】請求項１のマスクの平面図
【図４】請求項１のマスク着用の側面図
【図５】請求項２のマスクの製図
【図６】請求項２のマスクの平面図
【図７】請求項２のマスク着用の側面図
【図８】請求項２のマスク前頭部に着用した正面図
【図９】請求項３のマスクの製図
【図１０】請求項３のマスクの製図
【図１１】請求項３のマスク着用の正面図
【図１２】請求項３のマスク着用の側面図
【符号の説明】
１マスク部
２耳掛け部
３耳を通す孔
４口囲を露出する孔
５眼瞼及び眼球を露出する孔
【図１】
2004267692.tif 000003
【図２】
2004267692.tif 000004
【図３】
2004267692.tif 000005
【図４】
2004267692.tif 000006
【図５】
2004267692.tif 000007
【図６】
2004267692.tif 000008
【図７】
2004267692.tif 000009
【図８】
2004267692.tif 000010
【図９】
2004267692.tif 000011
【図１０】
2004267692.tif 000012
【図１１】
2004267692.tif 000013
【図１２】
2004267692.tif 000014